(57)【要約】【課題】長年馴染んでいる椅子の機能・感覚を損なわないという観点を十分に考慮し、さらに屈伸運動を行うために必要な機能を付加すると共に、その操作を容易に行うことが可能な座面位置調整機構を備えた椅子を提供する。【解決手段】伸縮可能なリンク機構によって座面１０２を上下方向に昇降させるリンクバネ装置２０のほか、このリンクバネ装置２０の力減衰方向と正反対の圧力減衰方向の特性を持った補助バネ機構３０を設ける。さらに、座面１０２の上昇位置を設定する上限ストッパ機構６０及び座面１０２の降下位置を設定する下限ストッパ機構７０を設け、椅子として必要なバネ圧、伸縮率等を選定できるようにし、かつ使用者の体重などの条件に合わせることを可能にする。【選択図】図２
2017086725.tif 000002
【特許請求の範囲】
【請求項１】
２つのリンクプレートをＸ字状に交差させてなるリンク部材を互いに対向させるようにして配置し、互いに対向させた一対の前記リンク部材の交点同士を中心軸によってそれぞれ連結すると共に前記リンクプレートの端部近傍同士を連結軸でそれぞれ連結することよってリンクユニットを形成し、当該リンクユニットの上部側の連結軸とその上に配置された他のリンクユニットの下部側の連結軸とを共用するようにして複数連結することによって伸縮可能なリンク機構を形成し、そして、対向するようにして位置する前記連結軸同士を当該リンク機構を伸長させる方向に付勢する弾性部材を架設して構成されたリンクバネ装置をベース上に立設配置すると共に、前記リンクバネ装置の上部に座面を取り付けることにより前記座面が上下に移動可能に形成された椅子において、
前記リンクバネ装置の最下部に位置するリンクユニットの下部側の一方側の連結軸を前記ベースに固定すると共に他方側の連結軸を可動可能に形成し、
一端側に前記リンクバネ装置の最下部に位置するリンクユニットの下部側の前記他方側の連結軸を掛止するための掛止部が設けられ、他端側に所定の長さにわたって直線状にラックギア溝が設けられたラチェット部材を前記リンクユニットの下側に移動可能に配置し、
前記ラックギアに噛み合う歯止め爪を備えた固定部材の前記歯止め爪を適宜の位置で前記ラックギアと噛み合わせることにより前記ラチェット部材を所望の位置で固定可能とし、前記リンクユニットの下部側の前記他方側の連結軸が前記掛止部に当接して前記リンクバネ装置がそれ以上開かないように位置決めすることにより前記座面の降下位置を設定可能としたことを特徴とする座面位置調整機構を備えた椅子。
【請求項２】
２つのリンクプレートをＸ字状に交差させてなるリンク部材を互いに対向させるようにして配置し、互いに対向させた一対の前記リンク部材の交点同士を中心軸によってそれぞれ連結すると共に前記リンクプレートの端部近傍同士を連結軸でそれぞれ連結することよってリンクユニットを形成し、当該リンクユニットの上部側の連結軸とその上に配置された他のリンクユニットの下部側の連結軸とを共用するようにして複数連結することによって伸縮可能なリンク機構を形成し、そして、対向するようにして位置する前記連結軸同士を当該リンク機構を伸長させる方向に付勢する弾性部材を架設して構成されたリンクバネ装置をベース上に立設配置すると共に、前記リンクバネ装置の上部に座面を取り付けることにより前記座面が上下に移動可能に形成された椅子において、
前記リンクバネ装置の最上部に位置するリンクユニットの上部側の一方側の連結軸を座面の裏側に固定すると共に他方側の連結軸を可動可能に形成し、
可動可能に形成された前記リンクユニットの上部側の他方側の連結軸を移動可能に設けられた押し部材によって適宜の位置で位置決めすることにより前記リンクバネ装置の全長を変更可能に形成し、前記座面の上昇位置を設定可能としたことを特徴とする座面位置調整機構を備えた椅子。
【請求項３】
請求項１に記載の座面位置調整機構を備えた椅子において、
前記リンクバネ装置の最下部に位置するリンクユニットの下部側の前記他方側の連結軸の移動を案内すると共に移動範囲を規制する下部ガイド部材が設けられていることを特徴とする座面位置調整機構を備えた椅子。
【請求項４】
請求項２に記載の座面位置調整機構を備えた椅子において、
前記リンクバネ装置の最上部に位置するリンクユニットの上部側の前記他方側の連結軸の移動を案内すると共に移動範囲を規制する上部ガイド部材が設けられていることを特徴とする座面位置調整機構を備えた椅子。
【請求項５】
請求項１から４に記載の座面位置調整機構を備えた椅子において、
前記ベースと前記座面との間には前記リンクバネ装置の押圧力を調整するための補助バネ機構が配置されていることを特徴とする座面位置調整機構を備えた椅子。
【請求項６】
請求項５に記載の座面位置調整機構を備えた椅子において、
前記補助バネ機構は、
中間プレートを挟んで上下にそれぞれ配置された一対の押しバネと、
一対の前記押しバネの端面側であって前記中間プレート側とは反対側にそれぞれ配置された端部プレートと、
前記押しバネの内側であって、前記中間プレートと前記端部プレートとの間に掛け渡されるようにして配置された一対の引きバネと、
前記中間プレートと前記端部プレートの間に配置され、一対の前記押しバネの伸縮を案内する案内ピストンと、
を備えて構成された補助バネユニットを複数段上下方向に組み合わせることにより形成されていることを特徴とする座面位置調整機構を備えた椅子。
【発明の詳細な説明】
【技術分野】
【０００１】
本発明は、座面位置調整機構を備えた椅子に関し、さらに詳しくは、座面の上部高さ位置と下部高さ位置をそれぞれ適宜に設定可能であり、また、座面を上部高さ位置と下部高さ位置の間を上下させることでスクワット運動を行うことを可能とすると共に、座面の上部高さ位置と下部高さ位置を同じにすることで座面を所望の高さで固定することが可能な座面位置調整機構を備えた椅子に関する。
【背景技術】
【０００２】
わが国の高齢化は急速に進行しており、人口に対する高齢者の割合が大幅に上昇している。高齢者の多くは足腰の衰えや関節痛などに悩まされていることから椅子に腰掛けて生活している人が多い。このような人達にとって、椅子に腰掛けたり立ち上がったりする動作はかなりの負担になる。そのため、本発明者は高齢者や障害者が歩くための筋力の維持・向上を図ることができるように椅子に腰掛けた状態で屈伸運動（スクワット）を行うことが可能であり、しかも立ち上がる際の負担を補助する機能を備えた椅子を開発し、特許文献１〜３に示すように提案を行った。
【先行技術文献】
【特許文献】
【０００３】
【特許文献１】特許第３７９５０５７号公報
【特許文献２】特許第４５０９２１４号公報
【特許文献３】特許第５５５０４９９号公報
【発明の概要】
【発明が解決しようとする課題】
【０００４】
これらの椅子によって、筋力の維持・向上を実現することができたが、一方で、高齢となって体力も筋力も衰えてから筋力トレーニングを始めても週に１〜２回程度ではあまり効果が期待できない、また、介護施設側の人手不足により介護認定者のレベルに即したトレーニングを個々に指導して継続させることが困難な施設が多いという問題が明かとなった。そのため、筋力を含めた健康の基礎作りは若い頃から日常生活の中で僅かな時間を利用して身体を動かす軽い運動から始め、運動を習慣づけることが非常に大切となる。しかしながら、運動習慣のない人たちにとっては日常生活においてウォーキングなどの運動のために時間を割くことは容易ではない。
【０００５】
この点、運動のために時間を割くことができない多忙な人たちでも日常生活の中で一番長く一緒に過ごす椅子を運動のためのツールとして用いることができれば運動の基礎となる関節を小刻みに動かすことなどを容易に行うことができるので、体を動かす習慣づけに非常に効果的である。この点、特許文献１〜３の椅子は運動を主眼としたものであり、日常において使用される椅子としてはなかなか利用し難いものであった。
【０００６】
一方、椅子に座るという行為は膝がほぼ直角に曲がった状態で腰を落として座るのが一般的であるが、このような着座姿勢は直立姿勢と比べて腰や背中にかかる負担が約４０％も増加するといわれている。腰や背筋を痛めない座り方は体重を脚と腰で分担して支えることができる中腰の状態であるといわれており、そのような姿勢で腰掛ける椅子はこれまでも提供されているが、通常の状態で着座できると共に中腰の状態でも着座できるようにした椅子は殆ど提供されていない。
【０００７】
そこで、本発明は、かかる問題点に鑑みなされたもので、長年馴染んでいる椅子の機能・感覚を損なわないという観点を十分に考慮し、長時間座っていても腰や臀部が痛くなることがない中腰の状態で着座でき、また、通常の椅子として使用可能であり、さらに屈伸運動を行うために必要な機能を付加すると共に、その操作を容易に行うことが可能な座面位置調整機構を備えた椅子を提供することを目的とする。
【課題を解決するための手段】
【０００８】
上記課題を解決するために請求項１に記載の発明は、２つのリンクプレートをＸ字状に交差させてなるリンク部材を互いに対向させるようにして配置し、互いに対向させた一対の前記リンク部材の交点同士を中心軸によってそれぞれ連結すると共に前記リンクプレートの端部近傍同士を連結軸でそれぞれ連結することよってリンクユニットを形成し、当該リンクユニットの上部側の連結軸とその上に配置された他のリンクユニットの下部側の連結軸とを共用するようにして複数連結することによって伸縮可能なリンク機構を形成し、そして、対向するようにして位置する前記連結軸同士を当該リンク機構を伸長させる方向に付勢する弾性部材を架設して構成されたリンクバネ装置をベース上に立設配置すると共に、前記リンクバネ装置の上部に座面を取り付けることにより前記座面が上下に移動可能に形成された椅子において、前記リンクバネ装置の最下部に位置するリンクユニットの下部側の一方側の連結軸を前記ベースに固定すると共に他方側の連結軸を可動可能に形成し、一端側に前記リンクバネ装置の最下部に位置するリンクユニットの下部側の前記他方側の連結軸を掛止するための掛止部が設けられ、他端側に所定の長さにわたって直線状にラックギア溝が設けられたラチェット部材を前記リンクユニットの下側に移動可能に配置し、前記ラックギアに噛み合う歯止め爪を備えた固定部材の前記歯止め爪を適宜の位置で前記ラックギアと噛み合わせることにより前記ラチェット部材を所望の位置で固定可能とし、前記リンクユニットの下部側の前記他方側の連結軸が前記掛止部に当接して前記リンクバネ装置がそれ以上開かないように位置決めすることにより前記座面の降下位置を設定可能としたことを特徴とする。
【０００９】
上記課題を解決するために請求項２に記載の本発明は、２つのリンクプレートをＸ字状に交差させてなるリンク部材を互いに対向させるようにして配置し、互いに対向させた一対の前記リンク部材の交点同士を中心軸によってそれぞれ連結すると共に前記リンクプレートの端部近傍同士を連結軸でそれぞれ連結することよってリンクユニットを形成し、当該リンクユニットの上部側の連結軸とその上に配置された他のリンクユニットの下部側の連結軸とを共用するようにして複数連結することによって伸縮可能なリンク機構を形成し、そして、対向するようにして位置する前記連結軸同士を当該リンク機構を伸長させる方向に付勢する弾性部材を架設して構成されたリンクバネ装置をベース上に立設配置すると共に、前記リンクバネ装置の上部に座面を取り付けることにより前記座面が上下に移動可能に形成された椅子において、前記リンクバネ装置の最上部に位置するリンクユニットの上部側の一方側の連結軸を座面の裏側に固定すると共に他方側の連結軸を可動可能に形成し、可動可能に形成された前記リンクユニットの上部側の他方側の連結軸を移動可能に設けられた押し部材によって適宜の位置で位置決めすることにより前記リンクバネ装置の全長を変更可能に形成し、前記座面の上昇位置を設定可能としたことを特徴とする。
【００１０】
上記課題を解決するために請求項３に記載の本発明は、請求項１に記載の座面位置調整機構を備えた椅子において、前記リンクバネ装置の最下部に位置するリンクユニットの下部側の前記他方側の連結軸の移動を案内すると共に移動範囲を規制する下部ガイド部材が設けられていることを特徴とする。
【００１１】
上記課題を解決するために請求項４に記載の本発明は、請求項２に記載の座面位置調整機構を備えた椅子において、前記リンクバネ装置の最上部に位置するリンクユニットの上部側の前記他方側の連結軸の移動を案内すると共に移動範囲を規制する上部ガイド部材が設けられていることを特徴とする。
【００１２】
上記課題を解決するために請求項５に記載の本発明は、請求項１から４に記載の座面位置調整機構を備えた椅子において、前記ベースと前記座面との間には前記リンクバネ装置の押圧力を調整するための補助バネ機構が配置されていることを特徴とする。
【００１３】
上記課題を解決するために請求項６に記載の本発明は、請求項５に記載の座面位置調整機構を備えた椅子において、前記補助バネ機構は、中間プレートを挟んで上下にそれぞれ配置された一対の押しバネと、一対の前記押しバネの端面側であって前記中間プレート側とは反対側にそれぞれ配置された端部プレートと、前記押しバネの内側であって、前記中間プレートと前記端部プレートとの間に掛け渡されるようにして配置された一対の引きバネと、前記中間プレートと前記端部プレートの間に配置され、一対の前記押しバネの伸縮を案内する案内ピストンとを備えて構成された補助バネユニットを複数段上下方向に組み合わせることにより形成されていることを特徴とする。
【発明の効果】
【００１４】
本発明に係る座面位置調整機構を備えた椅子によれば、座面の上昇位置を設定可能とする上限ストッパ機構により座面の上部高さを所望の位置に設定することが可能であり、また、座面の降下位置を設定可能とする下限ストッパ機構により座面の下部高さを所望の位置に設定することが可能となるという効果がある。また、上部高さ位置と下部高さ位置の間で座面を上下させることで使用者がスクワット運動を行うことができるという効果がある。さらに、上部高さ位置と下部高さ位置を同じにすれば座面を所望の高さ位置で固定することができるという効果がある。そのため、本発明に係る座面位置調整機構を備えた椅子によれば、座面の高さをしっかりと腰を下ろした状態で着座できる状態又は中腰で着座できる状態としてデスクワークやゲームなどを行うことができると共に、上部高さ位置と下部高さ位置を異なる位置に設定することでデスクワークやゲームなどをしながらでも体を動かすことができるという効果がある。
【００１５】
また、本発明に係る座面位置調整機構を備えた椅子によれば、リンクバネ装置を構成するリンク機構を伸長させる方向に付勢する弾性部材及び補助バネ機構を交換することにより、必要なバネ圧、伸縮率などを適宜に設定できるので使用者の体重などの条件に合わせることが可能になるとともに、椅子の昇降をスムーズにすることができるという効果がある。そのため、椅子に座るときや立ち上がるときも楽で安全であるという効果がある。
【図面の簡単な説明】
【００１６】
【図１】本発明に係る座面位置調整機構を備えた椅子の一実施形態を示す正面図である。
【図２】図１に示す座面位置調整機構を備えた椅子の側面図である。
【図３】図１に示す座面位置調整機構を備えた椅子を底面方向から見た斜視図である。
【図４】基台部に取り付けられた上限ストッパ機構を下方から見た斜視図である。
【図５】リンクバネ装置の詳細を示す斜視図である。
【図６】リンクバネ装置を構成するリンクユニットの１つを示す斜視図である。
【図７】補助バネ機構の詳細を示す正面断面図である。
【図８】補助バネ機構の詳細を示す斜視図である。
【図９】台座及び脚部の構成を示す斜視図である。
【図１０】本発明に係る座面位置調整機構を備えた椅子を斜め方向から見た斜視図である。
【図１１】係止部の詳細を示す斜視図である。
【発明を実施するための形態】
【００１７】
［運動用補助椅子の構成］
以下、本発明に係る座面位置調整機構を備えた椅子について、好ましい一実施形態に基づいて詳細に説明する。図１は本発明に係る座面位置調整機構を備えた椅子の一実施形態を示す正面図、図２はその側面図、図３は底面方向から見た斜視図である。図１に示された座面位置調整機構を備えた椅子１は、概略として、座席部１０と、リンクバネ装置２０と、このリンクバネ装置２０を囲むようにして配置された補助バネ機構３０と、台座４０と、この台座４０の下面に取り付けられた脚部５０とを備えて構成されている。
【００１８】
［座席部１０の構成］
座席部１０は、基台部１０１と、この基台部１０１の上部側に配設された座面１０２と、支持材１０３を介して取り付けられた背もたれ部１０４と、基台部１０１に固定されたハンドレバー１０５を備えて構成されている。使用者が腰掛ける部分である座面１０２の裏面側には傾斜機構１０６が設けられており、誰も腰掛けておらず座面１０２に加重がかかっていない状態のときには図示しない弾性機構によって傾斜機構１０６が働き図１の仮想線で示す状態（座面１０２′）に傾斜するように付勢されている。これにより、使用者が椅子１から立ち上がる動作を行い、座面１０２が最上位置まで上昇すると図示しない弾性機構によって座面１０２′のように傾斜して使用者の臀部の動きに追従する。従って、座面１０２がいつでも使用者の臀部近傍に位置することになるので、使用者は立ち上がり動作の途中でも直ぐに座面１０２に腰掛けることができるため、安心感及び安全性を確保することができる。さらに、ハンドレバー１０５は基台部１０１に固定されており、このハンドレバー１０５を掴んで押し下げると座面１０２が降下するようになっている。尚、ハンドレバー１０５は取り付け角度が適宜に変更可能とされると共に、図１においてはハンドレバー１０５を正面から見て左側に取り付けているが右側に取り付けることも可能である。
【００１９】
［リンクバネ装置２０の構成］
基台部１０１の下側に配置されているリンクバネ装置２０は、概略として、図５に示すように、同じ構造のリンクユニット２００〜２０４が高さ方向に連設して構成されており、リンクユニット２００〜２０４のそれぞれは以下に説明するように構成されている。すなわち、リンクバネ装置２０は、概略として、図６に示すリンクユニット２００（２０１〜２０４も同じ）を縦方向に複数連設することによって伸縮可能なリンク機構によって形成されており、各リンクユニット２００〜２０４は、以下のように形成されている。２つのリンクプレート２０５ａ，２０５ｂをそれぞれＸ字状に交差させた２つのリンク部材２０６ａ，２０６ｂを形成すると共に、２つのリンク部材２０６ａ，２０６ｂ同士を対向するように配置する。各リンク部材２０６ａ，２０６ｂのリンクプレート２０５ａ，２０５ｂの交点同士を中心軸２０７によって回動自在に連結すると共に、各リンクプレート２０５ａ，２０５ｂの端部近傍同士をそれぞれ連結軸２０８ａ，２０８ｂで連結することによってリンクユニット２００（２０１〜２０４も同じ）が形成されている。このように形成された複数のリンクユニット２００〜２０４を上方に連結することによって伸縮可能なリンク機構が形成される。そして、対向する連結軸２０８ａと連結軸２０８ｂの間にリンク機構を伸長させる方向（上方向）に付勢する弾性部材（コイルバネ）２１１を懸架させることによりリンクバネ装置２０が形成されている。尚、リンクユニット２００の一方側の最上端及びリンクユニット２０４の一方側の最下端は連結軸２０８ａ，２０８ｂよりも太い支軸２０９ａ，２０９ｂが取り付けられ、この支軸２０９ａ，２０９ｂの両端は延伸され、基台部１０１に取り付けられた一対の上部ガイド部材６７に穿設された長孔６９内及び台座４０に取り付けられた一対の下部ガイド部材３１に穿設された長孔３３内をそれぞれ移動範囲が規制された状態で移動可能に内嵌されている。また、各支軸２０９ａ，２０９ｂの両端には、リンクプレート２０５ａ，２０５ｂの外側に位置するようにしてコロ２１０がそれぞれ取付けられている。尚、台座４０は、図１及び図２に示すように、略十字形状の皿状に形成され、その上面にリンクバネ装置２０、補助バネ機構３０及び後述する下限ストッパ機構７０などが配置される。
【００２０】
尚、リンクユニット２００より下方に配設されたリンクユニット、例えばリンクユニット２０１の上部側の連結軸２０８ａは、それよりも上部側に配置されるリンクユニット２００の下部側の連結軸２０８ｂ，２０８ｂと共有になっており、同様に他のリンクユニット２０２〜２０４も連結軸２０８ｂ，２０８ｂが共有となっている。このようにリンクユニット２００〜２０４を上下方向に複数を連設することによって伸縮自在なリンク機構が形成されている。尚、本実施形態では５つのリンクユニット２００〜２０４を連設しているが、連設するリンクユニットの数は特に限定されない。
【００２１】
リンクプレート２０５ａ，２０５ｂのそれぞれは、例えば鋼板を細長く薄板状に形成し、さらに軽量化のための打ち抜き（パンチング）加工が施されている。またリンクプレート２０５ａ，２０５ｂの両端部近傍にはそれぞれ連結軸２０８ｂの各両端を貫通させる軸孔（図示せず）が穿設されると共に、中央部には中心軸２０７の両端が貫通する軸孔（図示せず）が穿設されている。したがって、リンクプレート２０５ａ，２０５ｂには、両端及び中央の少なくとも３箇所に孔部が穿設されていることになる。そして、各軸孔から露出する連結軸２０８ｂ及び中心軸２０７の各端部にはＥ型止め輪２１２が外嵌され、リンクプレート２０５ａ，２０５ｂが連結軸２０８ｂ及び中心軸２０７から脱落することを防止している。尚、リンクプレート２０５ａ，２０５ｂの材質や形状はこれに限るものではなく、剛性を有する適宜の材質により形成することができる。
【００２２】
中心軸２０７及び連結軸２０８ａ，２０８ｂは、例えば、丸棒状の金属部材によって形成されている。この中心軸２０７及び連結軸２０８ａ，２０８ｂの長さとリンクプレート２０５ａ，２０５ｂの長さとを適宜調整することによって、取り付け面積が比較的広い安定したリンクバネ装置２０としたり、取り付け面積が狭いよりコンパクトなリンクバネ装置２０としたりすることができる。尚、中心軸２０７及び連結軸２０８ａ，２０８ｂにボールベアリング等を介在させることによりリンクバネ装置２０の伸縮をよりスムーズなものにすることができる。
【００２３】
弾性部材２１１は、例えばバネ、好ましくは引っ張りコイルバネであり、リンク機構を伸長させる方向（図５の矢印方向）に付勢するようになっている。この弾性部材２１１は少なくとも上下方向における２ヶ所の連結軸２０８ａ，２０８ｂ同士を連結するように配置される。もちろん、一ヶ所の連結軸２０８ａ，２０８ｂに複数の弾性部材２１１を配置することも可能である。そして、弾性部材２１１をバネ圧の異なるものに交換することでリンクバネ装置２０の上昇圧力を適宜に調整することができる。
【００２４】
このような構成のリンクバネ装置２０は、全長が長い状態においては加えられる加重を強い力で支えるが、押し縮まるに従って次第にその支持力が減衰していくように働くため、本発明の座面位置調整機構を備えた椅子の他にも、例えば昇降装置やショックアブソーバ等として利用することも可能である。また、リンクバネ装置２０は、それ自体が構造体として機能するので特に支持機構を設けなくともその上部に物体を直接戴置することができる。
【００２５】
［上限ストッパ機構６０の構成］
リンクバネ装置２０と基台部１０１の間にはリンクバネ装置２０の上限を規制する上限ストッパ機構６０が配設されている。この上限ストッパ機構６０（座面位置調整機構）は、概略として、図４に示すように、リンクバネ装置２０の上端に位置するリンクプレート２０５ｂ、２０５ｂのそれぞれ先端部に設けられた軸孔に挿通されたストッパ軸６１と、このストッパ軸６１の一端に取り付けられたノブ６２と、ストッパ軸６１を軸支する一対の軸受け６３と、この軸受け６３を保持すると共に座面１０２の回動を可能にする座金６４と、ノブ６２の回転すなわちストッパ軸６１の回転に応じて図示しないかさば歯車を介してストッパ軸６１に直交する方向に回動可能に取り付けられた駆動軸６５と、駆動軸６５の途中に取り付けられた略コ字形状の押し部材６６と、押し部材６６に設けられた半円形の窪み６８によって支持される支軸２０９ａ（図５参照）の両端の水平移動をガイドする一対の上部ガイド部材６７とを備えている。そして、駆動軸６５にはネジ溝が設けられており、ノブ６２を回して駆動軸６５を回転させることにより駆動軸６５に螺合された押し部材６６が椅子１における前後方向に移動するように構成されている。押し部材６６によって支軸２０９ａを後方へ移動させるとリンクバネ装置２０は低くなり、押し部材６６を前方へ移動させるとリンクバネ装置２０は上方に向かって付勢されているので支軸２０９ａは。押し部材６６に当接するようにして前方へ移動しリンクバネ装置２０は低くなる。尚、駆動軸６５の先端側は支軸２０９ａに設けられた挿通孔２０９ｘ（図５参照）内に挿通された状態で配置される。また、上部ガイド部材６７には長孔６９が穿設されており、この長孔６９内に支軸２０９ａの両端が支持されると共に支軸２０９ａの前後移動の範囲が規制されるようになっている。
【００２６】
リンクバネ装置２０は弾性部材２１１によってリンク機構を伸長させる方向（上下方向）に付勢されているので押し部材６６が支軸２０９ａに当接した状態となっており、リンクバネ装置２０はその高さ位置よりも高くなることはない。そして、押し部材６６を前方へ移動させるようにノブ６２を回すと支軸２０９ａを固定されている位置が前方へ移動することになるのでリンクバネ装置２０の全長がその分だけ長くなり、その結果、上限の高さ位置を高くすることができる。一方、押し部材６６を後方へ移動させるようにノブ６２を回すと支軸２０９ａを固定されている位置が後方へ移動することになるのでリンクバネ装置２０の全長がその分だけ短くなり、その結果上限の高さ位置を低くすることができる。
【００２７】
［補助バネ機構３０の構成］
補助バネ機構３０は、リンクユニット２００〜２０４の押圧力の減衰を調整する機構である。上述のように、リンクバネ装置２０は、全長が長い状態においては加えられる加重を強い力で支えるが、押し縮まるに従って次第にその支持力が減衰していくように働くため、その支持力の減衰を補助するのが基台部１０１と台座４０との間に設けられた補助バネ機構３０であり、その構成を図７及び図８に示す。尚、図７及び図８は補助バネ機構３０が縮んだ状態を示しており、図１０では伸びた状態の補助バネ機構３０が示されている。図示された補助バネ機構３０は、概略として、２つの補助バネユニット３２を２段に重ねて形成されている。すなわち、補助バネユニット３２は、中間プレート３０１を挟んでそれぞれ上下に配置された押しバネ３０２と、上部側に位置する押しバネ３０２の端面に配設された第一端部プレート３０３と、下部側に位置する押しバネ３０２の端面に配設された第二端部プレート３０４と、それぞれの押しバネ３０２の内側に同軸状に配置された引きバネ３０５と、押しバネ３０２を挟んで対角線上に配置されて押しバネ３０２及び引きバネ３０５の直線方向の伸縮を案内する案内ピストン３０６と、案内ピストン３０６の動きを案内するシリンダ３０７を備えて構成されている。
【００２８】
補助バネ機構３０は、上述のようにして形成された２つの補助バネユニット３２を上下方向に重ね、重ねた部分における上部側の補助バネユニット３２の第二端部プレート３０４と下側の補助バネユニット３２の第一端部プレート３０３をビス等の締着部材によって固定することにより形成されている。補助バネ機構３０を押し縮めると案内ピストン３０６は中間プレート３０１の端部側に設けられた孔部を貫通するようにして案内されるようになっている。押しバネ３０２内に同軸に引きバネ３０５を内蔵した構成により、補助バネユニット３２は特に固定部材を必要とすることなくその形状を保持することが可能となる。また、押しバネ３０２の伸縮時の反発力を引きバネ３０５によって抑制できる結果、リングバネ装置２０の伸縮動作を滑らかにすることができる。また、リンクバネ装置２０の押圧力に応じて補助バネ機構３０を構成する補助バネユニット３２を適宜のバネ圧の押しバネ３０２を備えた補助バネユニット３２に交換することで必要なバネ圧、伸縮率などを調整することができる。
【００２９】
［下限ストッパ機構７０の構成］
台座４０にはリンクバネ装置２０の下限を規制する下限ストッパ機構７０が配設されている。下限ストッパ機構（座面位置調整機構）７０は、リンクバネ装置２０の下端側の位置を調整するための機構である。下限ストッパ機構７０は、図９に示すように、概略として、使用者の足によって踏み込み操作がなされるストッパーペダル７１と、このストッパーペダル７１が一端に取り付けられた軸７２と、リンクバネ装置２０の最下段にあるリンクプレート２０５ａの端部を揺動自在に連結すると共にＶ字形状の突起（歯止め爪）７４を備えて横倒略コの字形状をした固定部材７５を備えており、これらは一体に形成されている。また、軸７２を回動自在に保持する一対の軸受け７３と、固定部材７５の角部の２箇所に設けられた突起７４と噛み合う複数のラックギア溝７７が二列に形成されたラチェット部材７６をさらに備えて構成されている。ここで、ラチェット部材７６の詳細を図１１に示す。図示されたラチェット部材７６は、突起７４に噛み合う一対のラックギア溝７７を一端の上部に備えると共に、他端にはリンクバネ装置２０の下端に配置された支軸２０９ｂを支持する凹部７９を備えた支持部７８を備えて構成されて台座４０に固定されている。尚、ラチェット部材７６は、図示しない引っ張りバネによって固定部材７５側に付勢されている。また、固定部材７５は、バネ７５ａによって突起７４が一対のラックギア溝７７と噛み合う方向に付勢されており、ストッパーペダル７１を踏み込むことにより、一対のラックギア溝７７と突起７４との噛み合いが解除されるように形成されている。また、下限ストッパ機構７０は、支軸２０９ｂの両端を支持しつつ水平移動をガイドする一対の下部ガイド部材３１を備えている。そして、下部ガイド部材３１には長孔３３が穿設されておりこの長孔３３内に支軸２０９ｂの両端が支持されている。また、突起７４の噛み合いの解除によるラチェット部材７６の移動の際の支軸２０９ｂの前後移動の範囲が規制されるようになっている。
【００３０】
通常の状態では、固定部材７５に設けられた突起７４は所定箇所のラックギア溝７７と噛み合っておりその状態で固定されている。そして、使用者がストッパーペダル７１を足で踏むと固定部材７５の突起７４とラックギア溝７７との噛み合が解除される。リンクバネ装置２０は弾性部材２１１によってリンク機構を伸長させる方向（上下方向）に付勢されていると共に、ラチェット部材７６は図示しない引っ張りバネによって固定部材７５側に付勢されているのでラチェット部材７６が前方へ移動することでリンクバネ装置２０の下端に配置された支軸２０９ｂを支持する支持部７８の位置も前方へ移動する。一方、ストッパーペダル７１を踏み込んで固定部材７５の突起７４とラックギア溝７７との噛み合を解除した状態で座席部１０を押し下げればリンクバネ装置２０やラチェット部材を付勢する図示しないバネ部材に抗して支軸２０９ｂ及び支持部７８を後方へ移動させることができる。このような操作を行って所望の高さ位置でストッパーペダル７１を離せば突起７４が所定位置でラックギア溝７７と噛み合い、位置が固定される。固定部材７５が移動した方向と距離に応じて図５に示す連結軸２０８ａと連結軸２０８ｂの間隔が変化、即ちリンクプレート２０５ａとこれに交差するリンクプレート２０５ｂとの間の角度が変化する。この角度が小さくなるとリンクバネ装置２０の降下量が小さくなり、逆に角度が大きくなるとリンクバネ装置２０の降下量が大きくなる。このように、足でストッパーペダル７１を足で踏むのみの簡単な操作でリンクバネ装置２０の降下位置を設定することができる。
【００３１】
［脚部５０の構成］
脚部５０は、図１〜図３に示すように、台座４０の下部に取り付けられており、概略として、四方にほぼ水平に延伸する脚５１と、その各先端に取り付けられたキャスター５２とを備えて構成されている。さらに、脚部５０の下部にはブレーキ８０が設けられており、このブレーキ８０はブレーキレバー８１の操作によって昇降する。ブレーキ８０の下面にはゴム足８２下面が取り付けられており、ブレーキレバー８１を上げる方向に操作するとブレーキ８０が降下し、ゴム足８２が床面等に接触し、その接触摩擦により椅子１の移動及び脚部５０の回動が規制される。ブレーキ８０の降下位置の保持は図３に示すスプリング８３の引張力によって行われ、そして、ブレーキレバー８１の引き下げ操作によってブレーキ８０は待機位置に復帰する。
【００３２】
［座面位置調整機構を備えた椅子１の動作］
次に、上述した座面位置調整機構を備えた椅子１の動作について説明する。座面１０２に使用者が腰掛けていないときには、リンクバネ装置２０の各弾性部材２１１が連結軸２０８ａを引っ張る方向に力が働くので、図１０に示すように全体として上限位置に至るまで上方に伸びた状態となる。尚、図１０はリンクバネ装置２０を最大限に延ばした状態を示しており、実際にはこれよりも低い位置において座席部１０の上部高さ位置が調整される。このような状態において、使用者が座面１０２に腰掛けたり、ハンドレバー１０５や座面１０２を押し下げる等してリンクバネ装置２０及び補助バネ機構３０の上部に加重を加えると、連結軸２０８ａ，２０８ｂは各弾性部材２１１の引っ張り力に抗して次第に離れる方向に移動する。また、図７及び図８に示す補助バネ機構３０の押しバネ３０２も押し下げられて補助バネ機構３０が縮み始める。
【００３３】
座面１０２、即ちリンクバネ装置２０及び補助バネ機構３０に更なる加重が加わると、リンクプレート２０５ａ，２０５ｂのそれぞれは拡開しながらその高さが次第に低くなっていき、同時に補助バネ機構３０も低くなっていく。このとき、リンクバネ装置２０は弾性部材２１１である引張りばねの引っ張り力を受けているので上部から力を加えたり開放したりすると、リンクバネ装置２０全体があたかも一つのバネのように機能して使用者の体重を柔軟に受け止めるように動作する。
【００３４】
ここで、リンクバネ装置２０がある一定の高さ位置まで低くなると加重を支えるべき力が弱まるが、逆に補助バネ機構３０はそれまでの荷重に対して強い荷重を必要とするようになる。このように、リンクバネ装置２０と補助バネ機構３０を組み合わせることにより、リンク部材のバネの押圧力の減衰を押しバネ３０２が補うことで両者のバネ圧がバランスして椅子１の昇降を円滑にすることが可能になる。
【００３５】
座席部１０の上部高さ位置は上限ストッパ機構６０によって設定することができる。すなわち、上限ストッパ機構６０は、ノブ６２を椅子１の使用者がいずれかの方向に回転させることで機能する。ノブ６２を回転させると、その回転運動が駆動軸６５の直進運動に変換されて押し部材６６が前進または後退（図４の矢印ＡまたはＢ方向）する。例えば、押し部材６６が矢印Ａ方向に移動するようにノブ６２を回転した場合、駆動軸６５と共に押し部材６６が矢印Ａ方向へ押し出され、その過程で押し部材６６が図５に示す支軸２０９ａを矢印Ａ方向へ移動させる。これにより、図５に示す最上段のリンクプレート２０５ａとリンクプレート２０５ｂの端部が離れる方向に移動する。同時に、その他のリンクプレート２０５ａとリンクプレート２０５ｂの端部も離れる方向に移動する。これにより、リンクバネ装置２０の高さが低くなり、その結果、座席部１０の位置が低くなる。一方、ノブ６２を逆方向に回転すると押し部材６６が矢印Ｂ方向へ後退し、最上段のリンクプレート２０５ａとリンクプレート２０５ｂの端部が近接する方向に移動する。同時に、その他のリンクプレート２０５ａとリンクプレート２０５ｂに端部も近接する方向に移動する。これにより、リンクバネ装置２０の高さが高くなり、その結果、座席部１０の位置が高くなる。このように、リンクバネ装置２０の最上段のリンクユニット２００を構成するリンクプレート２０５ｂを固定した状態で他方側のリンクプレート２０５ａを可動可能に形成することでノブ６２の回転に応じてリンクバネ装置２０の全長を変更し、座席部１０を所望の高さ位置で位置決めすることができ、それによって座席部１０の上限の高さ位置を設定することができる。
【００３６】
また、座席部１０の下部高さ位置は下限ストッパ機構７０によって設定することができる。即ち、下限ストッパ機構７０は、椅子１の使用者がストッパーペダル７１を足で踏みこむと、ラチェット部材７６のラックギア溝７７と噛み合っていた固定部材７５の突起７４が上方へ移動することで噛み合いが解除され、ラチェット部材７６が前方へ移動すると共に支持部７８の位置も前方へ移動する。一方、ストッパーペダル７１を踏み込んで固定部材７５の突起７４とラックギア溝７７との噛み合を解除した状態で座席部１０を押し下げれば支軸２０９ｂ及び支持部７８を後方へ移動させることができる。
【００３７】
上限ストッパ機構６０と下限ストッパ機構７０を適宜操作することで、座面１０２の上部高さ位置と下部高さ位置を所望の位置に設定可能であり、座席部１０を予め設定した上部高さ位置と下部高さ位置の間を上下させることで使用者に合った状態でスクワット運動を行うことができる。一方、上部高さ位置と下部高さ位置を同じに設定すれば座面１０２を所望の高さ位置で固定することができ、通常の椅子として使用することができる。
【００３８】
尚、リンクバネ装置２０や補助バネ機構３０を適宜のバネ圧のものに交換することにより使用者に応じた押圧力に調整することができる。この場合、リンクバネ装置２０を交換する際には補助バネ機構が座席部１０を支持し、補助バネ機構３０を交換する際にはリンクバネ装置２０が座席部１０を支持しているので座席部１０自体を取り外したり、全体を分解したりすることなく簡単に交換作業を行うことができる。
【００３９】
尚、以上説明した椅子１に対する各種の調整は、使用者が椅子１の近傍に立った状態によっても、また座面１０２に座った状態によっても行うことができる。
【００４０】
［実施形態の効果］
本実施形態に係る座面位置調整機構を備えた椅子１によれば、リンクバネ装置２０及び補助バネ機構３０を設けたことにより、必要なバネ圧、伸縮率などを選定できるようになり、使用者の体重などの条件に合わせることが可能になるとともに、椅子の昇降をスムーズにすることができるという効果がある。
【００４１】
また、本実施形態に係る座面位置調整機構を備えた椅子１によれば、上限ストッパ機構６０を設けたことにより、使用者が座面１０２から立ち上がったり離れたりした場合でも、座席部１０は予めセットされた上部高さ位置まで上昇した状態で止まるので、座面１０２の位置を確認しなくても安全に座ることができるという効果がある。
【００４２】
さらに、本実施形態に係る座面位置調整機構を備えた椅子１によれば、下限ストッパ機構７０を設けたことにより、使用者が座った場合には座席部１０は予めセットされた下部高さ位置で停止するので座った状態に至るまで座面１０２が臀部を案内するので安全に座ることができるという効果がある。
【００４３】
また、本実施形態に係る座面位置調整機構を備えた椅子１によれば、補助バネ機構３０を設けたことによって、補助バネ機構３０が支柱として機能する結果、リンクバネ装置２０を保護する堅固な筐体が不要になり、椅子の軽量化及びコンパクト化が図れるという効果がある。
【００４４】
また、本実施形態に係る座面位置調整機構を備えた椅子１によれば、機構が簡単で故障が少なく、安全かつ使用者の身体に適した屈伸運動を行うことができるので、下肢の衰えた高齢者に限らず、中高齢者の下肢力維持・向上及び椅子に長時間座る職業の人たちや学生にも適用可能であるという効果がある。
【００４５】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。例えば、本実施形態においては、椅子の用途として事務用、介護用を例に説明したがその他の用途を目的とした椅子にも適用可能である。また、椅子以外の用途、例えば、商品陳列棚の左右の傾きを補正して水平にする装置等への応用も可能である。
【符号の説明】
【００４６】
１      座面位置調整機構を備えた椅子
１０      座席部
２０      リンクバネ装置
３０      補助バネ機構
３１      下部ガイド部材
３２      補助バネユニット
３３      長孔
４０      台座
５０      脚部
５１      脚
５２      キャスター
６０      上限ストッパ機構（座面位置調整機構）
６１      ストッパ軸
６２      ノブ
６３      軸受け
６４      座金
６５      駆動軸
６６      押し部材
６７      上部ガイド部材
６８      窪み
６９      長孔
７０      下限ストッパ機構（座面位置調整機構）
７１      ストッパーペダル
７２      軸
７３      軸受け
７４      突起（歯止め爪）
７５      固定部材
７５ａ    バネ
７６      ラチェット部材
７７      ラックギア溝
７８      支持部
７９      凹部
８０      ブレーキ
８１      ブレーキレバー
８２      ゴム足
８３      スプリング
１０１      基台部
１０２      座面
１０４      背もたれ部
１０５      ハンドレバー
１０６      傾斜機構
１０７      ガイド部材
２００〜２０４      リンクユニット
２０５ａ，２０５ｂ      リンクプレート
２０６ａ，２０６ｂ      リンク部材
２０７      中心軸
２０８ｂ，２０８ｂ      連結軸
２０９ａ，２０９ｂ      支軸
２０９ｘ      挿通孔
２１０      コロ
２１１      弾性部材
２１２      Ｅ型止め輪
３０１      中間プレート
３０２      押しバネ
３０３      第一端部プレート
３０４      第二端部プレート
３０５      引きバネ
３０６      案内ピストン
３０７      シリンダ
【図１】
2017086725.tif 000003
【図２】
2017086725.tif 000004
【図３】
2017086725.tif 000005
【図４】
2017086725.tif 000006
【図５】
2017086725.tif 000007
【図６】
2017086725.tif 000008
【図７】
2017086725.tif 000009
【図８】
2017086725.tif 000010
【図９】
2017086725.tif 000011
【図１０】
2017086725.tif 000012
【図１１】
2017086725.tif 000013